(57)【要約】【課題】従来のレーザー墨出し器は、その構成が複雑で装置が大型である高価であり、また、使用にあたっては設定調整をする必要があるので、操作が複雑で墨の位置調整自体が面倒であるため、専門の知識を持った者でないとこれを使いこなすことが困難である等の問題があった。【解決手段】  本発明は、長方形の定規筐体に複数のレーザー光源と、レーザー光源を選択的に動作させるためのスイッチとを設け、レーザー光源を選択的に駆動することにより、任意の二点間の直線位置や互いに直交する直線の表示をレーザー光の照射により行うようにした定規を実現することにより従来の問題点を解決したものである。【選択図】              図１
2005265425.tif 000002
【特許請求の範囲】
【請求項１】
長方形の定規筐体、
該定規筐体に平行なレーザー光を出射するように定規筐体の両端部に設置された第一、第二のレーザー光源、
前記定規筐体内に設置された第一、第二のレーザー光源を駆動するための電池、
前記電池の電力を、前記第一、第二のレーザー光源に選択的に供給して駆動するために前記定規筐体の表面に設置された第一、第二のスイッチ、
とを具備し、前記第一、第二のレーザー光源を選択的に駆動することにより、
上記複数の光源ユニットから出射されるレーザーライン光によって任意の二点間の直線位置の表示をレーザー光の照射により行うようにしたことを特徴とするレーザー光を使用した定規。
【請求項２】
長方形の定規筐体、
該定規筐体に平行なレーザー光を出射するように定規筐体の両端部に設置された第一、第二のレーザー光源、
前記定規筐体に直角なレーザー光を出射するように定規筐体に設置された第三のレーザー光源、
前記定規筐体内に設置された
前記電池の電力を、前記第一、第二、第三のレーザー光源に選択的供給して駆動するために前記定規筐体の表面に設置された第一、第二、第三のスイッチ、
とを具備し、上記第一、第二、第三のレーザー光源を選択的に駆動することにより、
上記複数の光源ユニットから出射されるレーザーライン光によって任意の二点間の直線位置や互いに直交する直線の表示をレーザー光の照射により行うようにしたことを特徴とするレーザー光を使用した定規。
【請求項３】
請求項1乃至請求項2において、定規筐体に水準器を設けたことを特徴とするレーザー光を使用した定規。
【請求項４】
請求項1乃至請求項2において、定規筐体に水準器とレベル調整機構を設けたことを特徴とするレーザー光を使用した定規。
【発明の詳細な説明】
【技術分野】
【０００１】
本発明のレーザー光を使用した定規は、任意の二点間の直線位置や直線に対す直角の表示をレーザー光の照射により行うようにしたもので、建築現場などにおいて、水糸の代わりに使用して、壁や床にタイルを貼る場合等の位置決めを行うものである。
【背景技術】
【０００２】
建築現場などにおいてレーザー光を使用した位置決め用の各種の墨出し器が実用化されている。これらの墨出し器は、構築物の垂直度、水平度を出し、さらにその位置出し等のを行なうため、レーザー光による鉛直線あるいは水平線を基準に墨の表示を行っており、多様な機能を持っているが、装置が大型であり、操作が複雑なために位置調整や設定自体が面倒である。
【特許文献１】特開２０００−１７１２５３号公報，
【特許文献２】特開２００１−９８７６２号公報，
【特許文献３】特開２００２−２９６００７号公報，
【特許文献４】特開２００３−１７７０２０号公報
【発明の開示】
【発明が解決しようとする課題】
【０００３】
従来のレーザー墨出し器においては、建築現場などで要求される各種の墨出しを行えるようにしているために、その構成が複雑で装置が大型になっているため高価であり、個人の建築職人等が簡単に購入することは困難である。
また、従来のレーザー墨出し器は、使用にあたって設定調整をする必要があり、操作が複雑で墨の位置調整自体が面倒であるため、専門の知識を持った者でないとこれを使いこなすことが困難であるという問題もある。
これら理由により従来のレーザー墨出し器は、個人の建築職人等にまで広く普及している状態にはない。
このため、小型で安価な、使い勝手の良いレーザー墨出し器の実現が求められている。
本発明は以上のような従来技術の問題点を解消するためになされたもので、レーザー墨出し器としての最小必要な機能を持ちながら、低コストで、建築現場等で広く使用されている鉦などの定規の感覚で使用できる操作が簡単なレーザー光を使用した定規を提供することを目的とする。
【課題を解決するための手段】
【０００４】
本発明は、長方形の定規筐体、該定規筐体に平行なレーザー光を出射するように定規筐体の両端部に設置された第一、第二のレーザー光源、前記定規筐体に直角なレーザー光を出射するように定規筐体に設置された第三のレーザー光源、前記定規筐体内に設置された第一、第二、第三のレーザー光源を駆動するための電池、前記定規筐体の表面に設置された第一、第二、第三のレーザー光源を動作させるための第一、第二、第三のスイッチ、とを具備し、上記第一、第二、第三のレーザー光源を選択的に駆動することにより、上記複数の光源ユニットから出射されるレーザーライン光によって任意の二点間の直線位置や互いに直交する直線の表示をレーザー光の照射により行うようにしたレーザー光を使用した定規を実現することにより従来の問題点を解決したものである。
【発明の効果】
【０００５】
本発明によれば、互いに直線又は直交する方向のレーザーラインを照射するための複数の光源ユニットを利用して地墨を照射するようになっているため、低コストで地墨表示可能なレーザー墨出し機能を持った定規を実現することができる。
本発明のレーザー光を使用した定規は、
１.小型で軽量であるため使用場所の制約がなく、鉦などの定規の感覚で押し当てるだけで直線、直角、水平を測ることができる。
２.測定範囲内で、水糸のような距離の制約がないので、無制限に直線、直角、水平を測ることができる。
３.建築現場等の、タイル、レンガ等の作業、体育館等のコートの白線の位置出し、道路の点字や誘導表示の位置決め等従来のレーザー墨出し器が使用できなかった広い用途に使用が可能である。
【発明を実施するための最良の形態】
【０００６】
以下、図面を参照しながら本発明のレーザー光を使用した定規の実施の形態について説明する。
図１は、本発明のレーザー光を使用した定規の一実施例の構成例を示す外観図、図２は、図１に示したレーザー光を使用した定規の断面図を示したものである。
図１乃至図２において、１０はレーザー光を使用した定規の筐体である。
定規の筐体１０は、側板１１，１２、上下板１３，１４、端板１５，１６とにより構成された棒状の長方形に形成されている。側板１１には、電池カバー１７が設けられている。
定規の筐体１０の側板１１にはレーザー光の射出穴２４が設けられ、又、端板１５，１６には、レーザー光の射出穴２５，２６6が設けられている。
【０００７】
２１，２２，２３は、夫々レーザー光源ユニットである。
各レーザー光源ユニット２１，２２，２３は、レーザー光源とレンズを有していて、レーザー光源からレンズに向けてレーザー光を出射することにより、このレーザー光をレンズで一方向にのみ放射するようになっている。
レーザー光源ユニット２１は、定規の筐体１０の内部の端板１５の内側に、レーザー光の射出穴２５よりレーザー光源ユニット２１のレーザー光が射出できる状態に設置され、又、レーザー光源ユニット２２は、定規の筐体１０の内部の端板１６の内側に、レーザー光の射出穴２６よりレーザー光源ユニット２２のレーザー光が射出できる状態に設置されている。
レーザー光源ユニット２３は、定規の筐体１０の内部の側板１１の内側に、レーザー光の射出穴２４よりレーザー光源ユニット２３のレーザー光が射出できる状態に設置されている。
【０００８】
レーザー光源ユニット２１と２２は、定規の筐体１０の端板のレーザー光の射出穴２５，２６より射出されるレーザー光が、お互いに一直線上にあるようにその位置関係が設定され、又、レーザー光源ユニット２３は、レーザー光射出口に反射鏡を備えレーザー光を９０度反射させ、定規の筐体１０の側板のレーザー光の射出穴２４より射出されるレーザー光が、レーザー光源ユニット２１と２２の一直線上の光線と直角になるようにその位置関係が設定されている。
３１，３２，３３は、電池４０の電力を、夫々レーザー光源ユニット２１，２２，２３
に選択的に供給して駆動するためのスイッチである。
スイッチ３１，３２，３３は定規の筐体１０の上板１１に設置されている。
４０はレーザー光源ユニット２１，２２，２３を駆動する電源で、定規の筐体１０の内部の中央部に設置されている。
【０００９】
このように構成された本発明のレーザー光を使用した定規の動作と使用方法を図３を使用して以下に説明する。
図３において、Ａ，Ｂは建築現場などにおいて、通常は水糸を使用して直線位置の設定を行う任意の二点である。１０は本発明のレーザー光を使用した定規の筐体である。
直線位置の設定を行う二点Ａ，Ｂの間に直線の設定を行う場合には、図３に示すように、二点Ａ，Ｂの間にレーザー光を使用した定規の筐体１０を置き、そのスイッチ３１，３２をＯＮにして、レーザー光源ユニット２１，２２を動作させて、定規の筐体１０の両端部よりレーザー光を点Ａ，Ｂに向けて照射すし、両レーザー光の光点が点Ａ，Ｂに合致するように定規の筐体１０の位置を調整する。
【００１０】
レーザー光源ユニット２１，２２のレーザー光の光軸は一直線上あるように調整されているので、定規の筐体１０から射出されたレーザー光の光点が、点Ａ，Ｂに合致したときの定規の筐体１０は、点Ａ，Ｂ間に引かれた直線の上に位置している。
このようにして、本発明のレーザー光を使用した定規により建築現場などにおいて通常は水糸を使用して行う任意の二点間の直線位置の設定を簡単に行うことが出来る。
特に、直線位置の設定を行う任意の二点間の距離が長い場合には、水糸の設定に手間がかかるだけでなく、設定した水糸の弛みなどにより精度の高い直線位置の設定を行うことが困難であったが、本発明のレーザー光を使用した定規を使用することにより常に正確な直線位置の設定を簡単に行うことが出来る。
【００１１】
次に、二点Ａ，Ｂの間の直線に直角な点Ｃに直線の設定を行う場合の動作を説明する。直線に直角な直線の設定を行う場合には、先ず、図３に示すように、二点Ａ，Ｂの間にレーザー光を使用した定規の筐体１０を置き、そのスイッチ３１，３２をＯＮにして、レーザー光源ユニット２１，２２を動作させて、両レーザー光の光点が点Ａ，Ｂに合致するように定規の筐体１０の位置を調整する。
次に両レーザー光の光点が点Ａ，Ｂに合致した状態を保ちながら、スイッチ３３をＯＮにして、レーザー光源ユニット２３を動作させて、定規の筐体１０を直角な直線の設定を行う直線上の点Ｃの位置に合わせるように移動する。
レーザー光源ユニット２３のレーザー光の光軸は、レーザー光源ユニット２１，２２のレーザー光の光軸と直角になるように調整されているので、定規の筐体１０のレーザー光源ユニット２３から射出されたレーザー光の光点Ｃが、点Ａ，Ｂ間の直線に直角な直線の位置を示している。
【００１２】
このようにして、本発明のレーザー光を使用した定規により建築現場などにおいて通常は水糸を使用して直線位置の設定を行う任意の二点間の直線直線や、この直線に直角な直線の設定を簡単に行うことが出来る。
特に、直線位置の設定を行う場合と同様に、この直線と直角な直線の距離が長い場合には、水糸の直角設定に手間がかかるだけでなく、設定した水糸の弛みなどにより精度の高い直角位置の設定を行うことが困難であったが、本発明のレーザー光を使用した定規を使用することにより常に正確な直角位置の設定を簡単に行うことが出来る。
このため、本発明のレーザー光を使用した定規を使用することにより建築現場などにおいて、水糸の代わりに使用して、壁や床にタイルを貼る場合等の位置出しの作業が容易になり作業の効率の向上が出来る。
尚，上記の実施例では、三個のレーザー光源ユニット２１，２２，２３を使用して二点間の直線と、直線に直角な直線の設定が行える定規について説明したが、直線機能だれを使用し、直線に直角な直線の設が不要な用途に使用する場合にはレーザー光源ユニット２３を省略してその構成を簡略化することが出来る。
【００１３】
図４は本発明のレーザー光を使用した定規の他の実施例を示す外観図である。
図４において、図１乃至２と同一の部分には同一の符号を付けてその説明を省略する。
図４の実施例は、図１乃至２に示した本発明のレーザー光を使用した定規に、定規の水平を示す水準器を付加したものである。
図４において、５０は定規の水平を示す水準器である。
水準器５０は、水の注入されたＵ字型の透明ガラス管を使用したものを使用した例を示してあるが、必ずしもこの形状の水準器を使用する必要はなく、任意の適切な水準器を使用することが可能である。
水準器５０は、定規の筐体１０の上板１１の中央部に設置され、定規の筐体１０を水平状態に保持する設定のを行う。
【００１４】
本発明のレーザー光を使用した定規により二点間の位置の水準を決める作業を行う場合には、水準器５０は、定規の筐体１０を水平状態に調整保持した状態で、定規の筐体１０のスイッチ３１，３２2をＯＮにして、レーザー光源ユニット２１，２２を動作させて、レーザー光を照射する。定規の筐体１０が水平状態に保たれ、レーザー光源ユニット２１，２２の光軸は一直線上に保持されているので、このときのレーザー光源ユニット２１，２２の光点が二点間の位置の水準を示している。
レーザー光源ユニット２１，２２の光点が二点間の位置の水準を設定した状態で、レーザー光源ユニット２３の光点により垂直を表示することも可能である。
６０は定規１０のレベルを調整するレベル調整機構である。レベル調整機構６０は水準器５０により定規１０の水準を調整する時に、定規１０のレベルを調整するために使用されるものである。
従来、建築や建設の現場においては、二点間の位置の水準を決める作業が頻繁に行われており、簡単な方法としては水盛りの作業が古くから行われ、又長距離の水準を正確に出すためには光学水準器が使用されている。これらの従来の二点間の位置の水準を決める作業は、専用の器具を使用して煩雑な作業をしなければならなかった。
上記のように、本発明のレーザー光を使用した定規を使用することにより、きわめて簡単化操作により二点間の位置の水準を決める作業を行うことが可能になる。
【００１５】
以上の説明から明らかなように、レーザー光を使用した定規は、互いに直線又は直交する方向のレーザーラインを照射するための複数の光源ユニットを利用して地墨を照射する簡単な構成であるため、低コストのレーザー墨出し機能を持った定規を実現することができるので、使用場所の制約がなく、鉦などの定規の感覚で押し当てるだけで直線、直角、水平を測ることができる。又、測定範囲内で、水糸のような距離の制約がなく無制限で直線、直角、水平を測ることができので、建築現場等の、タイル、レンガ等の作業、体育館等のコートの白線の位置出し、道路の点字や誘導表示の位置決め等従来のレーザー墨出し器が使用できなかった広い用途に使用可能である。
【産業上の利用可能性】
【００１６】
本発明は建築産業や土木産業の各種の作業現場で利用可能である。
【図面の簡単な説明】
【００１７】
【図１】本発明のレーザー光を使用した定規の一実施例の構成例を示す外観図である。
【図２】図１に示したレーザー光を使用した定規の断面図を示したものである。  。
【図３】本発明のレーザー光を使用した定規の動作と使用方法をに説明するずである。
【図４】図4は本発明のレーザー光を使用した定規の他の実施例を示す外観図である。
【符号の説明】
【００１８】
１０・・・定規の筐体，
１１，１２・・・側板，
１３，１４・・・上下板，
１５，１６・・・端板，
１７・・・電池カバー，
２１，２２，２３・・・レーザー光源ユニット，
２４，２５，２６・・・レーザー光の射出穴，
３１，３２，３３・・・スイッチ，
４０・・・電池，
５０・・・水準器，
６０・・・定規１０のレベルを調整するレベル調整機構，
【図１】
2005265425.tif 000003
【図２】
2005265425.tif 000004
【図３】
2005265425.tif 000005
【図４】
2005265425.tif 000006